(57)【特許請求の範囲】
【請求項１】
着信を可能とする着信待機状態を取り得る移動端末と、移動端末間の呼を交換する交換機とからなる移動端末交換システムにおいて、
移動端末が、自己を着信待機状態とする待受時間と、他の移動端末Ｂに対して着信待機状態となることを希望する待受要求時間を交換機に通知する待受時間通知部を備え、
交換機が前記待受時間及び待受要求時間を格納する情報格納部を備え、
前記交換機の情報格納部に、ある移動端末Ａから通知された前記移動端末Ｂに対する待受要求時間が格納されている場合に、その移動端末Ｂと交換機との間での通信が行われたときに、交換機が前記待受要求時間をその移動端末Ｂに通知し、
前記他の移動端末Ｂが交換機から通知された前記待受要求時間に相当する時間を待受時間として設定し、その待受時間の間のみ着信待機状態とし、
他の移動端末Ｂは、設定された待受時間が現在時刻を含まない場合に、電源を自動的に切断することを特徴とする移動端末交換システム。
【請求項２】
前記交換機が、前記移動端末に対する待受要求時間をその移動端末へ音声で通知することを特徴とする請求項１記載の移動端末交換システム。
【請求項３】
前記移動端末が、さらに所定のメッセージ情報を交換機に通知するメッセージ通知部を備え、
前記交換機が、さらに通知されたメッセージ情報を記憶するメッセージ情報記憶部と、このメッセージ情報を所定のタイミングで対応する移動端末へ通知する情報通知部とを備えることを特徴とする請求項１記載の移動端末交換システム。
【請求項４】
前記交換機の情報格納部に、移動端末の自己の待受時間が格納されているときに、交換機のメッセージ情報記憶部に前記移動端末に対するメッセージ情報が記憶された場合、
現在の時刻が前記自己の待受時間内となったときに、前記情報通知部がこの移動端末に対するメッセージ情報を当該移動端末へ通知することを特徴とする請求項３記載の移動端末交換システム。
【請求項５】
前記交換機の情報格納部に、移動端末の自己の待受時間が格納されていないときに、交換機のメッセージ情報記憶部に移動端末に対するメッセージ情報が記憶された場合、
所定の時間間隔で周期的に、又はランダムな時間間隔で、前記情報通知部がこの移動端末に対するメッセージ情報を当該移動端末へ通知することを特徴とする請求項３記載の移動端末交換システム。
【請求項６】
任意の移動端末Ａが移動端末Ｂを呼出そうとしたが不応答であった場合に、交換機から移動端末Ｂへ通知される前記メッセージ情報が、移動端末Ｂが不応答であったことに相当する音声メッセージであることを特徴とする請求項３に記載の移動端末交換システム。
【発明の詳細な説明】
【０００１】
【発明の属する技術分野】
この発明は、移動端末交換システムに関し、特に、着信待機状態等の設定が可能なバッテリー駆動型の移動端末と交換機からなる移動端末交換システムに関する。
【０００２】
【従来の技術】
従来、携帯電話機等の移動端末においては、通常の一般加入電話機と同様な通話をするための「通話モード」、他の移動端末又は一般加入電話機からの着信を受けるための着信待機状態（以下、待受状態とも呼ぶ）である「待受モード」、電源を切断し、発信も着信もできない「切断モード」など、各種の運用モードを有している。このうち「待機モード」では、着信に必要な回路のみに給電するようにし、節電をしている。
このように各種の運用モードを設けるのは、携帯電話機等の移動端末では、ニッカド電池などのバッテリーを用いて駆動させることが一般的であり、バッテリーの消耗をできるだけ防止する必要があるからである。
【０００３】
【発明が解決しようとする課題】
しかし、「待受モード」に設定している場合において、携帯電話は着信に必要な回路のみに給電しているので、バッテリーの節電はされるが、消費されている。
一方、利用者は、着信を希望するときには、「待受モード」に設定しておくが、「待受モード」に設定したことを忘れてしまうことが多い。このとき「待受モード」のまま放置したためにバッテリーが消耗してしまい、通話が必要なときにできないという場合がある。
【０００４】
また、バッテリーの消耗を極力防止するためには、利用者が使用しないと考えたときには、その都度電源を切断してやればよいが、これでは重要な通話を受けることができない場合がある。
また、バッテリーの消耗を防ぐために、こまめに電源の切断・投入、「待受モード」の設定などを繰り返し行うのは、利用者の負担が大きく、設定ミスを生じかねない。
【０００５】
この発明は、以上のような事情を考慮してなされたものであり、着信待機を要求された場合に、利用者が移動端末を「待受モード」にすることができること、及び移動端末が「待受モード」でない場合に無効となった呼出しがあったことを「待受モード」設定後に効率的にその移動端末へ通知することを目的とし、さらに、着信待機の効率的な管理と移動端末のバッテリーの消耗の防止をすることを目的とする。
【０００６】
【課題を解決するための手段】
この発明は、着信を可能とする着信待機状態を取り得る移動端末と、移動端末間の呼を交換する交換機とからなる移動端末交換システムにおいて、移動端末が、自己を着信待機状態とする待受時間と、他の移動端末Ｂに対して着信待機状態となることを希望する待受要求時間を交換機に通知する待受時間通知部を備え、交換機が前記待受時間及び待受要求時間を格納する情報格納部を備え、前記交換機の情報格納部に、ある移動端末Ａから通知された前記移動端末Ｂに対する待受要求時間が格納されている場合に、その移動端末Ｂと交換機との間での通信が行われたときに、交換機が前記待受要求時間をその移動端末Ｂに通知し、前記他の移動端末Ｂが交換機から通知された前記待受要求時間に相当する時間を待受時間として設定し、その待受時間の間のみ着信待機状態とし、  他の移動端末Ｂは、設定された待受時間が現在時刻を含まない場合に、電源を自動的に切断することを特徴とする移動端末交換システムを提供するものである。
図１０に、この発明の基本構成ブロック図を示す。
この発明は、着信を可能とする着信待機状態を取り得る移動端末と、移動端末間の呼を交換する交換機とからなる移動端末交換システムにおいて、任意の移動端末が、自己を着信待機状態とする待受時間と他の移動端末に対して着信待機状態となることを希望する待受要求時間を交換機に通知する待受時間通知部１を備え、交換機が前記待受時間及び待受要求時間を格納する情報格納部６を備えることを特徴とする移動端末交換システムを提供するものである。
【０００７】
また、前記交換機の情報格納部６に、特定の移動端末に対する待受要求時間が格納されている場合に、その移動端末と交換機との間での通信が行われたときに、交換機が前記待受要求時間をその移動端末に通知することを特徴とする移動端末交換システムを提供するものである。
ここで、前記交換機が、前記移動端末に対する待受要求時間をその移動端末へ、音声で通知するようにしてもよい。
【０００８】
また、前記移動端末が待受時間設定部３を有し、この待受時間設定部３が交換機から通知された前記待受要求時間に相当する時間を待受時間として設定し、その待受時間の間のみ着信待機状態となるようにしてもよい。
【０００９】
さらに、この発明は、前記移動端末が、さらに所定のメッセージ情報を交換機に通知するメッセージ通知部２を有し、前記交換機が、さらに通知されたメッセージ情報を記憶するメッセージ情報記憶部４と、このメッセージ情報を所定のタイミングで対応する移動端末へ通知する情報通知部５とを備えることを特徴とする移動端末交換システムを提供するものである。
【００１０】
ここで、前記交換機の情報格納部６に、移動端末の自己の待受時間が格納されているときに、交換機のメッセージ情報記憶部４に前記移動端末に対するメッセージ情報が記憶された場合、現在の時刻が前記自己の待受時間内となったときに、前記情報通知部５がこの移動端末に対するメッセージ情報を当該移動端末へ通知するようにしてもよい。
【００１１】
また、前記交換機の情報格納部６に、移動端末の自己の待受時間が格納されていないときに、交換機のメッセージ情報記憶部４に移動端末に対するメッセージ情報が記憶された場合、所定の時間間隔で周期的に又は、ランダムな時間間隔で、前記情報通知部５がこの移動端末に対するメッセージ情報を当該移動端末へ通知するようにしてもよい。
【００１２】
さらに、任意の移動端末Ａが移動端末Ｂを呼出そうとしたが不応答であった場合に、交換機から移動端末Ｂへ、移動端末Ｂが不応答であったことに相当する音声メッセージを通知してもよい。
【００１３】
上記したように、この発明の移動末端交換システムは、移動端末と交換機とから構成されるが、移動端末と交換機との間の発着信、通話、データの送受信などのいわゆる通信制御は、一般に無線で行われるため、移動端末及び交換機は共に無線による通信機能を実行するハードウェアを備えるものである。
また、交換機には、移動端末の他、有線を用いた一般の加入電話機が接続されていてもよい。
【００１４】
移動端末の待受時間通知部１、メッセージ通知部２、及び待受時間設定部３は、いわゆるマイクロコンピュータとその周辺回路によって実現することができる。マイクロコンピュータにはＲＯＭ，ＲＡＭ，タイマー，Ｉ／Ｏコントローラ等が含まれ、待受時間通知機能や待受時間設定機能を実行するプログラムがＲＡＭ又はＲＯＭ等に記憶される。
また、周辺回路は、データ及び音声を伝送するための通信コントローラや通話回路等から構成される。
【００１５】
ここで、交換機に通知される待受時間、待受要求時間やメッセージ情報の入力は、テンキーなどの入力装置から直接入力されるか又は予めＲＡＭ等に記憶されたメッセージ情報に対応する番号が入力されるようにしてもよい。
【００１６】
また、待受時間及び待受要求時間とも、移動端末が着信待機状態を開始すべき時刻と待機状態を終了すべき時刻とから表わされることが好ましいが、待機状態を継続すべき時間幅によって表してもよい。
また移動端末で自己の待受時間が設定された場合や、移動端末が交換機から待受要求時間を通知された場合には、待受時間設定部３が、その時間を待受時間としてＲＡＭ等に設定記憶するが、現在の時刻が設定された待受時間となった場合には、その移動端末は少なくとも着信待機をするのに必要な回路を駆動させるようにする。
着信待機をするのに必要な回路とは、たとえばマイクロコンピュータ、通信コントローラ等である。
【００１７】
交換機は、メッセージ情報記憶部４と情報格納部６を備えるが、これらはＲＡＭやハードディスクなどの記憶装置から構成できる。
また、交換機は、待受要求時間を移動端末へ通知する機能を有するが、待受要求時間はデータとして通知してもよく、また、音声として移動端末の利用者に通知してもよい。
データとして通知する場合は、交換機内に、いわゆるマイクロコンピュータと通信コントローラを備え、音声として通知する場合には、さらにＲＡＭ等のメモリを備えて、これに予めいくつかのひな形文となる音声メッセージを記憶するようにしてもよい。
【００１８】
さらに交換機は、移動端末へメッセージ情報を通知する情報通知部５を備えるが、これも、マイクロコンピュータや通信コントローラによって実現できる。
交換機から移動端末へ通知されるメッセージ情報は、データでも、音声でもよい。さらに、このメッセージ情報は、ＲＯＭ等に記憶された所定のデータ又は音声でもよく、入力装置から入力されたデータや音声でもよい。
【００１９】
交換機の情報通知部５は、所定のタイミングでメッセージ情報を移動端末へ通知するため、タイマーを備えることが好ましい。
ここで、所定のタイミングとは、予めＲＯＭ，ＲＡＭ等に設定された時刻、所定の時間間隔で周期的な時間、あるいはランダムな時間間隔であってもよい。
「設定された時刻」とは、たとえば毎日１０時という意味である。
「所定の時間間隔で周期的」とは、たとえば、１分おきに無限に通知を繰り返すこと、あるいは１０分おきに１０回通知を繰り返すことを意味する。
「ランダムな時間間隔」とは、たとえば、１時間のうち任意の時間に１０回通知を行うことを意味する。
【００２０】
また、メッセージ情報を通知する移動端末の待受時間が交換機に設定されている場合には、所定のタイミングとは現在の時刻がその待受時間になった後を意味し、待受時間になった後にメッセージ情報は通知される。
【００２１】
以上のようにこの発明によれば、移動端末から交換機に自己の移動端末の待受時間を通知して、交換機がその待受時間を格納しているので、交換機にて、収容されるすべての移動端末の着信待機状態を一元管理することができる。
また、ある移動端末Ａに着信待機状態となっていてほしい時間（待受要求時間）を交換機を経由してその移動端末Ａへ通知することができるので、その移動端末Ａがこの待受要求時間だけ着信待機状態に設定することにより着信待機の有効な管理ができ、さらにバッテリーの消耗を低減させることができる。
【００２２】
また、移動端末が、待受要求時間に相当する時間を自己の待受時間として設定し、その待受時間の間のみ着信待機状態となるようにしているので、自主的に利用者が待受時間を設定せずにいた場合でも、自動的に必要な時間のみ着信待機状態となるため、有効な着信管理ができ、着信待機状態の解除忘れによるバッテリーの消耗を防止することができる。
【００２３】
また、この発明によれば音声で待受要求時間を通知するので、通知された移動端末の利用者が、要求された待受時間を含むように待受時間を設定することによって重要な着信を無効とすることなく有効な着信管理とバッテリーの消耗の防止をすることができる。
【００２４】
さらに、この発明によれば、交換機が、所定のタイミングである移動端末から通知されたメッセージ情報を、その情報に対応する移動端末に通知するようにしているので、交換機において、移動端末への発呼動作とメッセージ情報の通知に対する有効な管理が可能である。
すなわち、交換機から移動端末への無駄な発呼動作を低減させることができ、したがって回線の利用効率を向上させることができる。
【００２５】
さらに、任意の移動端末Ａから交換機を経由してある移動端末Ｂが不応答であったことに相当する音声メッセージをその移動端末Ｂへ通知するようにしているので、この音声メッセージを受けた移動端末Ｂの利用者はすぐに移動端末Ａへ応答の発呼をすることが可能となる。
【００２６】
【発明の実施の形態】
以下、図面に示す実施例に基づいてこの発明を詳述する。なお、これによってこの発明が限定されるものではない。
図１に、この発明の移動端末交換システムの一実施例の構成ブロック図を示す。
ここで、Ａ，Ｂは移動端末であり、少なくともそれぞれ送受話部Ａ１，Ｂ１、テンキーＡ２，Ｂ２及び送受話部Ａ３，Ｂ３とから構成される。
なお、図１では２台の移動端末しか図示していないが、一般に複数台の移動端末が交換機Ｃと接続される。
【００２７】
送受話部Ａ１，Ｂ１は、交換機と交信するための送信回路や受信回路から構成され、待受時間通知部１やメッセージ通知部２に相当する。
この送信回路や受信回路は、いわゆるマイクロコンピュータ，通信コントローラ，メモリその他の周辺回路から構成できる。
送受話部Ａ３，Ｂ３は、音声の入出力を行う部分であり、マイク，スピーカ等から構成できる。
【００２８】
図１のＣは、交換機であり、図示したような各構成ブロックからなる待受時間管理部を少なくとも備える。
この待受時間管理部は、特にこの発明に関与する部分である。
交換機は、この他に図示していない発呼管理部、着呼管理部、端末接続管理部を備えており、移動端末間の交換処理を行う。
待受時間メッセージ入力部Ｃ１は、移動端末へ通知するメッセージを入力する部分であり、データとして入力する場合はキーボード、音声として入力する場合はマイクがこれに相当する。
待受時間メッセージ登録部Ｃ２は、入力されたメッセージをメモリに記憶する形式に変換する部分である。
変換されたメッセージは、ひな形として基本待受時間メッセージ文ひな形蓄積部Ｃ３へ蓄積される。
【００２９】
図２に、蓄積されるメッセージのひな形の例文を示す。ひな形は、固定部分と可変部分とから構成される。
メッセージＮｏ．３及びＮｏ．４は可変部分を有するが、待受時間の開始時刻、終了時刻、及び時間間隔が可変部分に挿入される。可変部分は後から移動端末から通知される情報に基づいて決められるため、空白として記憶する。
また、蓄積されたメッセージ文は、読み出す時の便宜のために連番のコード番号をつけておくことが好ましい。
【００３０】
待受時間メッセージ文ひな形抽出部Ｃ４は、メッセージ文指定コードメモリによって指定されるコード番号に対応するひな形を蓄積部Ｃ３から抽出する部分である。
待受時間メッセージ文ひな形編集部Ｃ５は、抽出されたひな形文の中の空白部分にメッセージ穴埋めパラメータメモリ１１に記憶された情報、たとえば待受の開始時刻を挿入してメッセージ文を合成する部分である。
ここで合成されたメッセージ文は待受時間メッセージ蓄積部Ｃ６に蓄積される。
【００３１】
指定待受時間メッセージ抽出部Ｃ７は、所定の条件が成立した場合に待受時間メッセージ蓄積部Ｃ６に蓄積されたメッセージ文を抽出して音声合成部Ｃ９へ与える部分である。
音声合成部Ｃ９は、与えられたメッセージ文を予め記憶された音素Ｃ８を基に合成音声に変換する部分である。
送受信部Ｃ１６は、移動端末Ａ，Ｂの送受信部Ａ１，Ｂ１と同様の構成を持つ。
送話部Ｃ１５は、音声合成部Ｃ９で生成された合成音声を送受信部Ｃ１６へ送る部分である。
送受信部Ｃ１６が受信する情報としては、移動端末の送受話部Ａ３，Ｂ３から入力された音声情報の他に、テンキーＡ２，Ｂ２から入力された文字、記号などのデータ情報がある。
【００３２】
データ情報は移動端末内の送受信部Ａ１，Ｂ１で所定のフォーマットに組立てられて送られる。
たとえば、データ情報としては、待受時間メッセージ文を指定するコード番号、メッセージ文の空白部分に相当するデータ、待受時間を設定してもらいたい相手先の電話番号、待受時間の設定を要求した発呼者の電話番号等がある。
【００３３】
テンキー情報解析部Ｃ１４は、送受信部Ｃ１６を通して受信されたデータ情報を解析して、各種情報を分離して対応するメモリへ記憶させる部分である。
メッセージ文指定コードメモリＣ１０は、テンキー情報解析部Ｃ１４によって分離されたメッセージ文指定コードを記憶する部分である。
ここでは、図２のメッセージ番号１〜５に相当するものが記憶される。
【００３４】
メッセージ穴埋めパラメータメモリＣ１１は、前記したような待受時間の開始時刻等の可変となる空白部分に相当する情報を記憶する部分である。
たとえば、待受時間の開始時刻及び終了時刻として、１０時２０分、１８時３０分というデータが記憶され、待受時間間隔として１時間というデータが記憶される。
相手先電話番号メモリＣ１２は、待受時間の設定を要求する相手先の電話番号を記憶する部分である。
発呼者電話番号メモリＣ１３は、交換機Ｃに対して発呼をかけた移動端末の電話番号を記憶する部分である。
【００３５】
次に、図１を用いて、移動端末Ａから待受時間の設定を要求する情報が交換機に送信されてきた場合の待受時間管理部の動作の概要を示す。
まず、移動端末Ａから発呼があった場合には、交換機の送受信部Ｃ１６は、移動端末Ａの電話番号を発呼者電話番号メモリＣ１３に記憶する。
移動端末Ａから送信されてきた情報には、指定コード＝“３”、穴埋めパラメータ＝“開始：１０：００、終了：１２：２０”と相手先電話番号が挿入されていたものとする。
ここで、テンキー情報解析部Ｃ１４が前記情報を解析して、それぞれ対応するメモリ（Ｃ１０，Ｃ１１，Ｃ１２）へ記憶する。
【００３６】
待受時間メッセージ文ひな形抽出部Ｃ４は、メッセージ文指定コードメモリＣ１０に記憶された指定コード＝“３”を参照して、基本待受時間メッセージ文ひな形蓄積部Ｃ３から指定コードに対応するひな形文を読み出し、待受時間メッセージ文ひな形編集部Ｃ５へ送る。
ここでは、図２の「待ち受け時間は ： 〜 ： です」というひな形文が読み出される。
【００３７】
待受時間メッセージ文ひな形編集部Ｃ５は、この読み出されたひな形文と、メッセージ穴埋めパラメータメモリＣ１１に記憶されたパラメータ＝“開始：１０：００、終了＝１２：２０”とから「待ち受け時間は１０：００〜１２：２０です」というメッセージ文を作成する。
そしてこの後、待受時間メッセージ蓄積部Ｃ６に作成されたメッセージ文と、相手先電話番号メモリＣ１２に記憶された電話番号と、発呼者電話番号メモリＣ１３に記憶された発呼移動端末Ａの電話番号を１組として記憶する。
以上が待受要求時間を交換機内へ記憶する動作である。
【００３８】
この後、待受時間メッセージ蓄積部に記憶されたメッセージ文と共に記憶された相手先電話番号と同一の番号を持つ移動端末Ｂから発呼があった場合には、この記憶されたメッセージ文が読み出されて、音声によって移動端末Ｂへ通知される。
すなわち、移動端末Ｂから発呼があると、移動端末Ｂの電話番号が発呼者電話番号メモリＣ１３に記憶される。
【００３９】
指定待受時間メッセージ抽出部Ｃ７は、待受時間メッセージ蓄積部Ｃ６の中に記憶されたメッセージ文と対となって記憶されている相手先電話番号と、発呼者電話番号メモリＣ１３に記憶された電話番号との比較を行い、一致したと判断した場合には、当該メッセージ文を読み出して音声合成部Ｃ９に与える。
たとえば、前記した「待ち受け時間は１０：００〜１２：２０です」というメッセージ文に対応する相手先電話番号が移動端末Ｂと一致する場合には、このメッセージ文が音声合成部Ｃ９に与えられる。
【００４０】
音声合成部Ｃ９は音素８の中から、メッセージ文に対応する音素を読み出して音声合成を行い、送話部Ｃ１５、送受信部Ｃ１６を通して移動端末Ｂへこのメッセージ文を音声で通知する。
ここで、待受時間メッセージ登録部Ｃ２、基本待受時間メッセージ文ひな形蓄積部Ｃ３、待受時間メッセージ文ひな形抽出部Ｃ４、待受時間メッセージ文ひな形編集部Ｃ５、指定待受時間メッセージ抽出部Ｃ７、及びテンキー情報解析部Ｃ１４の動作主体は、一般にマイクロコンピュータであり、ＲＯＭ等に記憶されたプログラムに従って各部の動作が行われる。
【００４１】
図３に、この発明の移動端末交換システムにおいて、待受要求時間の設定登録を行う場合のシーケンスの実施例を示す。
初期状態として、呼出される側である移動端末Ｂが非待受状態であるとする。すなわち、バッテリの切電のため電源切断等により着信できない状態であるとする。
【００４２】
このとき移動端末Ａから移動端末Ｂの呼出し動作が行われた場合（Ｓ１）、移動端末Ｂは応答なしとなるので、移動端末Ａの利用者は、移動端末Ｂに対して着信待機してほしい時間すなわち待受要求時間やメッセージコード番号をテンキーを使った所定の操作によって登録する（Ｓ２）。
この登録情報は、交換機に転送され、前記したようにして交換機内部のメモリに記憶される（Ｓ３）。
【００４３】
その後、利用者によって移動端末Ｂが電源投入されたとする（Ｓ４）。
このとき、利用者が操作をすることによって、あるいは電源投入されたことにより自動的に、交換機に対して自己の待受要求時間が登録されているかどうかの問合せのための発呼を行う（Ｓ４）。
この発呼は、通常の他の移動端末との通話目的とは異なるため、たとえば、所定の特番をダイヤルするようにすればよい。
【００４４】
この移動端末Ｂからの特番の発呼を受けた交換機は、移動端末Ｂに対する待受要求時間が登録されていないかどうかを確認する（Ｓ５）。登録されている場合には、前記したように、音声で待受要求時間を含むメッセージ文（図２参照）を移動端末Ｂへ通知する。
この音声によるメッセージ文の通知を聞いた移動端末Ｂの利用者は、そのメッセージ文に対応して、待受時間を設定する（Ｓ６）。
移動端末Ｂは、待受時間が設定されると、その時間が現在の時刻を含む場合は、そのまま電源投入状態を継続させればよいが、設定された待受時間が現在の時刻を含まない場合は、電源を自動的に切断する。
このようにすればバッテリーの消耗を有効に防止させることができる。
【００４５】
電源を切断して非待受状態となった後に、設定された待受時間がくると、移動端末Ｂは自動的に待受状態となる（Ｓ７）。
したがって、待受状態のために必要な回路部分に電源が供給されて、着信を受けつける状態となる。
この後、移動端末Ａから移動端末Ｂを呼出す動作がされたとすると（Ｓ８）、移動端末Ｂは、この着信を受付けることができ、移動端末Ａ，Ｂ間で会話が行える。
さらに、設定された待受時間の終了時刻がくると、移動端末Ｂでは、自動的に待受状態が解除され、非待受状態となる（Ｓ９）。
【００４６】
このように、移動端末Ｂの待受状態が、他の移動端末Ａからの待受時間の設定要求をもとに設定されるようにしているので、移動端末Ｂの利用者のバッテリ消耗のための管理負担を軽減させることができ、有効な着信管理とバッテリー消耗の防止を有効に行うことができる。
【００４７】
また、この実施例では、交換機Ｃが移動端末Ａからの待受要求時間を、移動端末Ｂへ音声で通知し、この音声を聞いた移動端末Ｂの利用者がその待受要求時間を自己の待受時間として設定するようにしたが、交換機が待受要求時間をデータ形式で移動端末Ｂへ通知し、移動端末Ｂ内のマイクロコンピュータによってこのデータ形式の待受要求時間を自己の待受時間として自動的に設定するようにしてもよい。
このようにすれば、自動的に着信に必要な時間のみ着信待機状態となるため、利用者による待受時間の設定忘れや設定誤りを防ぐことができ、有効な着信管理ができる。
【００４８】
また、利用者の着信待機状態の解除忘れによるバッテリーの消耗を防止できる。
交換機Ｃがこの待受要求時間をデータ形式で移動端末Ｂへ通知することは、交換機内のマイクロコンピュータ及び通信コントローラによって容易に実現できる。  また、移動端末Ｂに、データ形式で通知される待受要求時間を自己の待受時間として設定するための待受時間設定部を設ければよく、この部分の機能もマイクロコンピュータと必要なプログラムを組み込むことによって容易に実現できる。
【００４９】
実施例２
ここでは、この発明の移動端末交換システムにおいて、待受状態に対応したメッセージの通知管理を行う場合の実施例を示す。
図４に、交換機の待受時間管理部において、この実施例２に係る部分の構成ブロック図を示す。
【００５０】
図４において、“電源断”記憶部Ｃ２１は、ある移動端末ｋが“電源断”の状態にあること、すなわち待受状態でないことを記憶しておくメモリである。
移動端末ｋが“電源断”の状態であるかどうかは、相手先電源断検出部Ｃ２８が行う。
他の移動端末ｍから移動端末ｋへの発呼があった場合に、交換機Ｃが移動端末ｋに呼出しをかけるが、一定時間移動端末ｋから応答がない場合には交換機Ｃは移動端末ｋが“電源断”の状態にあると判断することができる。
すなわち、交換機Ｃの相手先電源断検出部Ｃ２８が、ある移動端末ｋへの呼出しが不調に終わったことを検出した場合に、“電源断”メッセージ送出部Ｃ２７へ移動端末ｋが電源断であることを通知し、さらに“電源断”記憶部Ｃ２１に記憶する。
【００５１】
ここで、“電源断”メッセージ送出部Ｃ２７は、移動端末ｋへ発呼動作を行った発信元の移動端末ｍへ「移動端末ｋが待受状態になっていない」という旨のメッセージの通知を行なう部分である。
録音タイミング生成部Ｃ２６は、“電源断”メッセージ送出部Ｃ２７からの要求に応じて、この後移動端末ｍから送られてくる音声メッセージの録音動作の起動及び停止をするものである。
【００５２】
この音声メッセージの録音は、録音タイミング生成部Ｃ２６から送られるタイミングに基づいて、メッセージ録音部Ｃ２２が行う。
音声メッセージは、メッセージ録音部Ｃ２２の中のメモリに記憶される。
受話部Ｃ２９は、送受信部Ｃ１６を通して送られてくる音声メッセージをＡ／Ｄ変換して、メッセージ録音部Ｃ２２に与えるものである。
【００５３】
テンキー情報入力部Ｃ３０は、移動端末から送られてくるその移動端末自体の待受時間等の情報を受信するものである。
ここで受信した待受時間そのものは待受時間蓄積部Ｃ２３に記憶され、「待受時間が記憶されている」という旨の情報などは待受情報記憶部Ｃ３１に記憶される。
時計部Ｃ３３は、いわゆるタイマーであり、現在の時刻及び設定時刻からの経過時間等をカウントするものである。
【００５４】
待受時間判定部Ｃ２４は、待受情報記憶部Ｃ３１に「待受時間が記憶されている」という旨の情報が記憶されているかどうかを判定すると共に、現在の時刻が待受時間蓄積部Ｃ２３に記憶された待受時間になったかどうかを判定するものである。
メッセージ抽出部Ｃ２５は、待受時間判定部Ｃ２４からの起動要求を受けて、メッセージ録音部Ｃ２２に記憶された音声メッセージを読み出す部分である。
また、読み出された音声メッセージは、送受信部Ｃ１６を通して対応する移動端末へ通知される。
以上が交換機Ｃの待受時間管理部のうち、待受状態に対応したメッセージの通知管理を行う部分の構成であるが、これらの部分の動作の制御は、通常マイクロコンピュータによって行われる。
【００５５】
次に、ある移動端末Ａから移動端末Ｂへの呼出しを行ったが、通話が不通になった場合に、移動端末Ａからの音声メッセージを移動端末Ｂへ通知するシーケンスを、交換機Ｃに移動端末Ｂの自己の待受時間が記憶される場合と記憶されていない場合に分けて説明する。
【００５６】
図５に、交換機Ｃに移動端末Ｂの自己の待受時間が記憶されている場合のシーケンスの実施例を示す。
ここで、まず、移動端末Ｂの利用者がテンキー入力等の操作をして自己の待受時間の登録を行う（Ｓ１１）。
すなわち、移動端末Ｂの利用者は電源を投入し、所定の操作によって待受時間の開始時刻と終了時刻、又は時間幅を入力する。
この入力終了後、移動端末Ｂは、待受時間登録のための特番のダイヤルによって、交換機Ｃと交信し、待受時間の登録要求を行う。
【００５７】
交換機Ｃは、移動端末Ｂから送られてくる待受時間をテンキー情報入力部Ｃ３０を通して、移動端末Ｂのものとして待受時間蓄積部Ｃ２３に記憶する。
たとえば、“移動端末Ｂ”、待受開始時刻、及び待受終了時刻が記憶される。また、同時に、テンキー情報入力部Ｃ３０は、移動端末Ｂの待受時間が記憶されたことを示す情報待受情報記憶部Ｃ３１に記憶する。
たとえば、移動端末Ｂに対応するメモリ領域にフラグが立てられる。
以上の動作によって、移動端末Ｂの自己の待受時間が移動端末Ｂ自身と交換機Ｃに登録されたことになる（Ｓ１２）。
【００５８】
また、この登録完了後、移動端末Ｂの利用者は、現在待受時間でない場合には、バッテリの節電のため電源を切断すればよい。
あるいは、移動端末Ｂ内部のマイクロコンピュータによって、現在待受時間でない場合には、自動的に待受状態よりも節電となる状態に移行するようにしてもよい。
このようにすれば、電源切断忘れによるバッテリの消耗を低減できる。
【００５９】
次に、移動端末Ｂが電源切断された非待受状態のときに、移動端末Ａから移動端末Ｂへの発呼があったとする（Ｓ１３）。
このとき、交換機Ｃは移動端末Ｂへ呼出しをかけるが、移動端末Ｂからの応答がないので、交換機Ｃは、移動端末Ｂが電源断状態にあることを検出する。
この検出動作は、前記したように、相手先電源断検出部Ｃ２８によって行われ、“電源断”メッセージ送出部Ｃ２７を起動させる。
【００６０】
この後、“電源断”メッセージ送出部Ｃ２７は、移動端末Ｂが“電源断”状態であることを“電源断”記憶部Ｃ２１に記憶させ、「移動端末Ｂが電源断状態にある。移動端末Ｂへのメッセージがあればこのあと話してください。」という旨のメッセージを移動端末Ａに対して通知すると共に、録音タイミング生成部Ｃ２６を起動させる。
【００６１】
移動端末Ａの利用者は、交換機Ｃからのメッセージを聞いた後、移動端末Ｂへのメッセージを話す（Ｓ１４）。
このメッセージは、交換機Ｃの受話部Ｃ２９を通してメッセージ録音部Ｃ２２に録音される（Ｓ１５）。
また、録音されたメッセージには、移動端末Ｂに対するものであることを示す識別子が付与される。
【００６２】
交換機Ｃにおいて、待受時間判定部Ｃ２４は、待受情報記憶部Ｃ３１に、待受時間が記憶されている旨の情報が記憶されていることを常時確認している。
現在、待受情報記憶部Ｃ３１に、「移動端末Ｂの待受時間が記憶されている」という旨の情報が記憶されていると判定されるので、待受時間判定部Ｃ２４は、待受時間蓄積部Ｃ２３に記憶されている移動端末Ｂの待受時間を読み出し、この移動端末Ｂの待受時間と時計部Ｃ３３から読み出した現在の時刻とを比較する。
【００６３】
このとき、現在の時刻が移動端末Ｂの待受時間内にあることが確認された場合、交換機Ｃは、移動端末Ｂの呼出動作を行う（Ｓ１７）。
一方、移動端末Ｂにおいても、現在の時刻が自己の設定した待受時間になったかどうかをマイクロコンピュータが常に確認しており、待受時間になったときに、自動的に待受状態となる（Ｓ１６）。
すなわち、移動端末Ｂにおいて、着信待機状態となるために、着信に必要な回路に電源が供給される。
したがって、前記の交換機Ｃが行った移動端末Ｂの呼出しに対して移動端末Ｂは確実に着信応答するはずである。
【００６４】
移動端末Ｂがこの呼出しに対して応答した後、交換機Ｃは、メッセージ録音部Ｃ２２に記憶された移動端末Ａからの音声メッセージを、移動端末Ｂへ通知する（Ｓ１７）。
ここで、移動端末Ｂが応答したかどうかは、図４には図示されていないが交換機Ｃの基本機能である着信検出機能によって行えばよく、移動端末Ｂが応答したことは、待受時間判定部Ｃ２４に通知される。
【００６５】
さらに待受時間判定部Ｃ２４からメッセージ抽出部Ｃ２５に対して移動端末Ｂに対する録音メッセージを読出す指示が与えられ、所望の録音メッセージがメッセージ録音部Ｃ２２から読出され、さらに送受信部Ｃ１６を通して移動端末Ｂへ通知される。
また、通知されるメッセージには、録音された音声のみならず、移動端末Ａの電話番号等を付与してもよい。
【００６６】
以上のように、交換機に移動端末Ｂの自己の待受時間が記憶されている場合において、他の移動端末Ａからのメッセージが登録されたときは、現在の時刻が移動端末Ｂの待受時間になった後に移動端末Ｂの呼出し動作をするようにしているので、交換機からの無駄な発呼動作を防止することができ、交換機の回線使用効率を向上させることができる。
【００６７】
さらに、交換機において、すべての移動端末の着信待機状態を一元管理できる。
また、移動端末Ｂにとっては、待受状態になった後に、非待受状態のときに不通となった発信先からの音声メッセージが通知されるので、重要な着信を無効とすることなく、有効な着信管理ができる。
また、移動端末において、自動的に待受状態への移動と解除が行われるので、有効なバッテリーの消耗防止をすることができる。
【００６８】
次に、図６に、移動端末Ｂの自己の待受時間が交換機Ｃに記憶されていない場合のシーケンスの実施例を示す。
同図において、移動端末Ａによる移動端末Ｂの呼出し（Ｓ２１）、移動端末Ｂの応答なし、移動端末Ｂへのメッセージの登録（Ｓ２２）、さらに交換機における前記メッセージの記憶（Ｓ２３）の各動作については、図５に示したものと同様であるので、ここでは説明を省く。
【００６９】
図６の実施例が、図５に示した実施例と異なるのは、移動端末Ｂを呼出すタイミングである。
すなわち、移動端末Ｂの自己の待受時間が交換機Ｃに記憶されている場合は、現在時刻がその待受時間内となったときに移動端末Ｂを呼出す動作を開始したが、この図６の実施例では、移動端末Ｂへのメッセージの記憶（Ｓ２３）終了後、ランダムなタイミング又は定期的なタイミングで移動端末Ｂを呼出す点が異なる。
【００７０】
ここでランダムな時間間隔とは、たとえば１時間のうち任意の時間に１０回呼出しを行うようにしてもよく、また任意の時間間隔で無制限に呼出しを行うようにしてもよい。
また、１０分おきに１０回、あるいは正時ごとに無制限に呼出しを行うというように、定期的に呼出し動作を行ってもよい。
【００７１】
図６に示す移動端末Ｂへのメッセージの記憶（Ｓ２３）において、音声メッセージがメッセージ録音部Ｃ２２に記憶される。
この後、待受時間判定部Ｃ２４が、メッセージ録音部Ｃ２２に移動端末Ｂへのメッセージが記憶されたことを認識し、さらに、待受情報記憶部Ｃ３１に「移動端末Ｂの自己の待受時間が記憶されている」旨の情報が記憶されていないことを検出した場合には、乱数を発生させて移動端末Ｂを呼出す時間を決定する。
そして、交換機Ｃは、ランダムな時間間隔をおいて、移動端末Ｂが着信応答するまで呼出し動作を継続する（Ｓ２４）。
【００７２】
待受状態になった後（Ｓ２５）に移動端末Ｂの呼出しが行われると、移動端末Ｂは着信応答するが、図５のＳ１７と同様に、移動端末Ａからの音声メッセージを移動端末Ｂへ通知する（Ｓ２６）。
【００７３】
以上のように、交換機Ｃに移動端末Ｂの待受時間が記憶されていない場合は、交換機Ｃは移動端末Ｂが待受状態にあるか否かは不明であるので、移動端末Ｂに対する呼出しをランダムなタイミングで行うことによって、留保された音声メッセージを移動端末Ｂが待受状態となった後、すみやかに通知することができる。
【００７４】
また、移動端末Ｂにおいて、待受状態に設定された後に自動的に交換機Ｃに対して発呼するようにしておけば、交換機ＣにＳ２３に示したような移動端末Ｂへのメッセージをよりすみやかに移動端末Ｂへ通知できる。
【００７５】
なお、前記したように移動端末では、利用者によって又は自動的に待受時間の設定が行われるが、たとえば着信を行わないモード（非待受状態）、常時連続して着信待機を行うモード（連続待受状態）、指定された時間帯のみ着信待機を行うモード（時間指定）、及びランダム又は一定の周期で着信待機を行うモード（周期）のような、各種のモードを設定できるようにしてもよい。
【００７６】
また、上記の各モードを設定するための待受時間管理モードと通常の通話を可能とする通話モードとを設けてもよい。
これらのモード設定は、モード切替スイッチを各移動端末に設けるか、又は、テンキー等を用いて所定の操作により設定してもよい。
また、各モードごとに、必要なパラメータをテンキー等を用いて入力するようにする。ここで、必要なパラメータとは、たとえば、時間設定モードの場合は、設定する時間帯などである。
【００７７】
図７に、移動端末におけるモード設定の例のフローチャートを示す。
利用者が、モード切替スイッチを待受時間管理モードに設定する（Ｓ３１）。
ここで移動端末内の「現在の設定モード」及び「現在の待受時間」をＬＣＤ等に表示し、これらの設定変更の可（１♯）又は否（０♯）の入力待となる（Ｓ３２）。
【００７８】
否（０♯）が入力されたとき、待受時間管理状態となり、現在が待受時間にない場合は電源を切断する（Ｓ３８）。
Ｓ３２で、可（１♯）が入力されたとき、「待受時間の指定」又は「周期指定」の表示を行い、時間指定（０♯）又は周期指定（１♯）の入力待となる（Ｓ３３）。
【００７９】
ここで、利用者が時間指定（０♯）を入力したとき、次に待受時間を入力する（Ｓ３４）。
たとえば、図７に示すように、「９時１５分〜１７時３０分迄」を待受時間とする場合は、「♯０９１５＊１７３０♯」と入力する。
次に入力が正しい場合は、否（０♯）を入力すると待受時間管理状態となる（Ｓ３８）。
また、入力の訂正等のため再設定をやり直す場合は、可（１♯）を入力する（Ｓ３６）とＳ３４へ戻る。
【００８０】
Ｓ３３にて、周期指定（１♯）が入力されたときは、利用者が待受時間の入力を行うが、ここでは、たとえば「９時１５分から待受を開始し、１０分間待受を有効とした後待受を解除し、さらに、１０分間の待受状態を６０分毎に周期的に繰り返す」場合には、「♯０９１５＊１０＊６０♯」と入力する。
Ｓ３７では、Ｓ３６と同様に再設定の入力の可否の入力を行なう。
以上のような設定をするためには、移動端末は、テンキーの他に、モード切替スイッチ又は切替キーなどの入力部、液晶表示部（ＬＣＤ）、及び設定データを記憶するメモリ（ＲＡＭ）を備えることが好ましい。
【００８１】
以上に説明した実施例では、交換機Ｃに、各移動端末の待受時間管理を行なうための機能を備えたが、これと同等の機能を特定の移動端末（以下、管理端末と呼ぶ）に備えてもよい。
このとき管理端末は、交換機が行っていた待受要求時間の通知、待受要求時間及び待受時間の記憶、発信元へのメッセージの通知、発信元からの音声メッセージの録音と通知、記憶された待受時間の管理、通話不通となっていた移動端末への発呼動作などの各機能を実行する。
【００８２】
したがって管理端末は、図７及び図８に示すように、図１及び図４の交換機Ｃと同様の構成を内部に備える必要がある。
このように、管理端末を設けることによりネットワーク事業者が保有する交換機でなく、利用者が保有することのできる一移動端末である管理端末で、有効に待受管理を行うことができる。
【００８３】
【発明の効果】
この発明によれば、交換機において、移動端末の着信待機状態を一元管理でき、有効な着信待機の管理と共に、移動端末のバッテリーの消耗を有効に低減させることができる。
また、交換機による無駄な発呼動作が低減でき、したがって回線の利用効率の向上ができる。
【図面の簡単な説明】
【図１】この発明の移動端末交換システムの一実施例の構成ブロック図である。
【図２】この発明において、交換機に蓄積されるメッセージのひな形の例文である。
【図３】この発明において、移動端末への待受時間の設定要求を行うシーケンス例である。
【図４】この発明の実施例２における交換機の待受時間管理部の構成ブロック図である。
【図５】この発明において交換機に移動端末の自己の待受時間が記憶されている場合のシーケンス例である。
【図６】この発明において交換機に移動端末の自己の待受時間が記憶されていない場合のシーケンス例である。
【図７】この発明の移動端末におけるモード設定のフローチャートである。
【図８】この発明の管理端末の構成ブロック図の一実施例である。
【図９】この発明の管理端末の構成ブロック図の一実施例である。
【図１０】この発明の基本構成を示すブロック図である。
【符号の説明】
Ａ１，Ｂ１    送受信部
Ａ２，Ｂ２    テンキー
Ａ３，Ｂ３    送受話部
Ｃ１          待受時間メッセージ入力部
Ｃ２          待受時間メッセージ登録部
Ｃ３          基本待受時間メッセージ文ひな形蓄積部
Ｃ４          待受時間メッセージ文ひな形抽出部
Ｃ５          待受時間メッセージ文ひな形編集部
Ｃ６          待受時間メッセージ蓄積部
Ｃ７          指定待受時間メッセージ抽出部
Ｃ８          音素
Ｃ９          音声合成部
Ｃ１０        メッセージ文指定コードメモリ
Ｃ１１        メッセージ穴埋めパラメータメモリ
Ｃ１２        相手先電話番号メモリ
Ｃ１３        発呼者電話番号メモリ
Ｃ１４        テンキー情報解析部
Ｃ１５        送話部
Ｃ１６        送受信部
Ｃ２１        “電源断”記憶部
Ｃ２２        メッセージ録音部
Ｃ２３        待受時間蓄積部
Ｃ２４        待受時間判定部
Ｃ２６        録音タイミング生成部
Ｃ２７        “電源断”メッセージ送出部
Ｃ２８        相手先電源断検出部
Ｃ２９        受話部
Ｃ３０        テンキー情報入力部
Ｃ３１        待受情報記憶部
Ｃ３２        送受信部
Ｃ３３        時計部
【図１】
0003841463.tif 000002
【図２】
0003841463.tif 000003
【図３】
0003841463.tif 000004
【図４】
0003841463.tif 000005
【図５】
0003841463.tif 000006
【図６】
0003841463.tif 000007
【図７】
0003841463.tif 000008
【図８】
0003841463.tif 000009
【図９】
0003841463.tif 000010
【図１０】
0003841463.tif 000011